(57)【特許請求の範囲】
【請求項１】
ガス通路を遮断するガス遮断弁と、ガス遮断弁を遮断する事象を発生する遮断事象発生部と、ガス遮断弁を開栓する事象を発生する開栓事象発生部と、遮断事象発生部又は開栓事象発生部が発生した事象によりガス遮断弁が遮断中か開栓中かを記憶する遮断状態記憶部と、ガス遮断弁が遮断中に遮断事象発生部が発生する事象により遮断を行うか行わないかを保持する遮断中事象遮断有無保持部と、遮断事象発生部で事象が発生したとき、遮断状態記憶部でガス遮断弁が開栓中の場合及び遮断状態記憶部でガス遮断弁が遮断中であっても遮断事象発生部で発生した事象について遮断中事象遮断有無保持部で遮断を行うとなっている場合にガス遮断弁に遮断動作を命令し、遮断状態記憶部でガス遮断弁が遮断中でかつ遮断中事象遮断有無保持部で遮断を行わないとなっている場合にガス遮断弁の遮断動作を命令しないガス遮断命令部とを有することを特徴とするガス遮断装置。
【請求項２】
ガス通路を遮断するガス遮断弁と、ガス遮断弁を遮断する事象を発生する遮断事象発生部と、ガス遮断弁を開栓する事象を発生する開栓事象発生部と、遮断事象発生部又は開栓事象発生部が発生した事象によりガス遮断弁が遮断中か開栓中かを記憶する遮断状態記憶部と、ガスの圧力を検出するガス圧力検出部と、遮断事象発生部で遮断の事象が発生した後にガス圧力検出部で検出したガス圧力を記憶する前回遮断後ガス圧力記憶部と、遮断事象発生部で事象が発生したとき、遮断状態記憶部でガス遮断弁が開栓中の場合及び遮断状態記憶部でガス遮断弁が遮断中であってもガス圧力検出部で検出したガス圧力と前回遮断後ガス圧力記憶部で記憶されているガス圧力との間に変動がある場合にガス遮断弁に遮断動作を命令し、遮断状態記憶部でガス遮断弁が遮断中でかつガス圧力検出部で検出したガス圧力と前回遮断後ガス圧力記憶部で記憶されているガス圧力との間に変動がない場合にガス遮断弁の遮断動作を命令しないガス遮断命令部とを有することを特徴とするガス遮断装置。
【請求項３】
ガス通路を遮断するガス遮断弁と、ガス遮断弁を遮断する事象を発生する遮断事象発生部と、ガス遮断弁を開栓する事象を発生する開栓事象発生部と、遮断事象発生部又は開栓事象発生部が発生した事象によりガス遮断弁が遮断中か開栓中かを記憶する遮断状態記憶部と、ガスの圧力を検出するガス圧力検出部と、遮断事象発生部で遮断の事象が発生した後にガス圧力検出部で検出したガス圧力を記憶する前回遮断後ガス圧力記憶部と、遮断状態記憶部でガス遮断弁が遮断中に遮断事象発生部で事象が発生した時にガス圧力検出部で検出したガス圧力と前回遮断後ガス圧力記憶部で記憶されているガス圧力との間に変動がある場合にガス遮断弁を遮断するかしないかを保持する遮断中ガス変動時遮断有無保持部と、遮断事象発生部で事象が発生したとき、遮断状態記憶部でガス遮断弁が開栓中の場合及び遮断状態記憶部でガス遮断弁が遮断中であってもガス圧力検出部で検出したガス圧力と前回遮断後ガス圧力記憶部に記憶されているガス圧力との間に変動がありかつ遮断事象発生部で発生した事象について遮断中ガス変動時遮断有無保持部でガス遮断弁を遮断するとなっている場合にガス遮断弁に遮断動作を命令し、遮断状態記憶部でガス遮断弁が遮断中でかつガス圧力検出部で検出したガス圧力と前回遮断後ガス圧力記憶部で記憶されているガス圧力との間に変動がない場合及び変動があっても遮断事象発生部で発生した事象について遮断中ガス変動時遮断有無保持部でガス遮断弁を遮断しないとなっている場合にガス遮断弁の遮断動作を命令しないガス遮断命令部とを有することを特徴とするガス遮断装置。
【発明の詳細な説明】
【０００１】
【発明の属する技術分野】
本発明は、ガス使用上の安全を図るガス遮断装置に関するものである。
【０００２】
【従来の技術】
従来、この種のガス遮断装置は、図５に示すように、遮断事象発生部１１がガス洩れや長時間使用を検知し、ガスを遮断する事象を発生し、ガス遮断命令部１２が遮断事象発生部１１で発生した事象を受けてガスを遮断する遮断命令を生成し、遮断命令によりガス遮断弁１３がガスを遮断するように構成されており、ガス遮断命令部１２は遮断事象発生部１１から遮断の事象を受けたときは必ず遮断命令をガス遮断弁１３に出力してガスを遮断するように構成されている。
【０００３】
【発明が解決しようとする課題】
しかしながら、上記従来のガス遮断装置の構成では、ガスを遮断する事象が発生した時はすでに遮断した状態であっても必ず遮断動作を行なっていたため、電池で外界とは独立な系として長時間動作する必要のある安全機器であるガス遮断装置では、電気容量の限られた電池で駆動するガス遮断弁１３の遮断動作の回数が限られるため、ガス遮断弁１３の確実な動作を保証する期間が短くなり、又は電池を大容量化する必要があるという問題があった。
【０００４】
本発明は、上記従来の問題点に鑑み、小容量の電池で長期間ガス使用上の安全を確保できるガス遮断装置を提供することを目的としている。
【０００６】
【課題を解決するための手段】
本発明のガス遮断装置は、ガス通路を遮断するガス遮断弁と、ガス遮断弁を遮断する事象を発生する遮断事象発生部と、ガス遮断弁を開栓する事象を発生する開栓事象発生部と、遮断事象発生部又は開栓事象発生部が発生した事象によりガス遮断弁が遮断中か開栓中かを記憶する遮断状態記憶部と、ガス遮断弁が遮断中に遮断事象発生部が発生する事象により遮断を行うか行わないかを保持する遮断中事象遮断有無保持部と、遮断事象発生部で事象が発生したとき、遮断状態記憶部でガス遮断弁が開栓中の場合及び遮断状態記憶部でガス遮断弁が遮断中であっても遮断事象発生部で発生した事象について遮断中事象遮断有無保持部で遮断を行うとなっている場合にガス遮断弁に遮断動作を命令し、遮断状態記憶部でガス遮断弁が遮断中でかつ遮断中事象遮断有無保持部で遮断を行わないとなっている場合にガス遮断弁の遮断動作を命令しないガス遮断命令部とを有する構成にて、遮断事象発生部や開栓事象発生部が発生した遮断や開栓の事象からガス遮断弁が遮断状態か開栓状態かを遮断状態記憶部で記憶し、遮断事象発生部から遮断の事象が発生した時にガス遮断命令部が遮断状態記憶部に記憶されているガス遮断弁の状態を参照し、開栓中の時は遮断命令を出力し、遮断中の時は、さらに遮断中事象遮断有無保持部に保持されている遮断中の遮断事象に対して遮断を行なうか行なわないかの情報を参照し、行なうであれば遮断命令を出力し、行なわないであればガス遮断弁への遮断命令は出力しないようにし、ガス遮断弁の駆動回数を少なくするようにし、遮断中に連続して遮断の事象が起こるなどの電池を消耗するような状況を回避し、ガス遮断装置の動作保証期間内で想定される遮断回数を少なくし、同じ動作保証期間で容量の少ない電池を使用したり、同じ容量の電池で保証期間を長くするようにし、さらに遮断状態記憶部では遮断中であっても特定の遮断事象の場合は遮断命令を出力してより一層の安全を確保するようにできる。
【０００７】
また、ガス通路を遮断するガス遮断弁と、ガス遮断弁を遮断する事象を発生する遮断事象発生部と、ガス遮断弁を開栓する事象を発生する開栓事象発生部と、遮断事象発生部又は開栓事象発生部が発生した事象によりガス遮断弁が遮断中か開栓中かを記憶する遮断状態記憶部と、ガスの圧力を検出するガス圧力検出部と、遮断事象発生部で遮断の事象が発生した後にガス圧力検出部で検出したガス圧力を記憶する前回遮断後ガス圧力記憶部と、遮断事象発生部で事象が発生したとき、遮断状態記憶部でガス遮断弁が開栓中の場合及び遮断状態記憶部でガス遮断弁が遮断中であってもガス圧力検出部で検出したガス圧力と前回遮断後ガス圧力記憶部で記憶されているガス圧力との間に変動がある場合にガス遮断弁に遮断動作を命令し、遮断状態記憶部でガス遮断弁が遮断中でかつガス圧力検出部で検出したガス圧力と前回遮断後ガス圧力記憶部で記憶されているガス圧力との間に変動がない場合にガス遮断弁の遮断動作を命令しないガス遮断命令部とを有する構成にて、遮断事象発生部や開栓事象発生部が発生した遮断や開栓の事象からガス遮断弁が遮断状態か開栓状態かを遮断状態記憶部で記憶し、遮断事象発生部が発生する遮断の事象に連動してガス圧力検出部でガス遮断装置のガス圧力を検出し、前回遮断後ガス圧力記憶部に遮断時のガス圧力を記憶し、遮断事象発生部から遮断の事象が発生した時にガス遮断命令部が遮断状態記憶部に記憶されている遮断弁の状態を参照し、開栓中の時はガス遮断弁へ遮断命令を出力し、ガスの遮断を行い、遮断中の時は、さらにガス圧力検出部で現在のガス圧力を検出し、前回遮断後ガス圧力記憶部に記憶されているガス圧力とを比較して変動がなければガス遮断弁への遮断命令を省略し、変動があれば安全確保のためにさらに遮断命令を出力するようにできる。
【０００８】
また、ガス通路を遮断するガス遮断弁と、ガス遮断弁を遮断する事象を発生する遮断事象発生部と、ガス遮断弁を開栓する事象を発生する開栓事象発生部と、遮断事象発生部又は開栓事象発生部が発生した事象によりガス遮断弁が遮断中か開栓中かを記憶する遮断状態記憶部と、ガスの圧力を検出するガス圧力検出部と、遮断事象発生部で遮断の事象が発生した後にガス圧力検出部で検出したガス圧力を記憶する前回遮断後ガス圧力記憶部と、遮断状態記憶部でガス遮断弁が遮断中に遮断事象発生部で事象が発生した時にガス圧力検出部で検出したガス圧力と前回遮断後ガス圧力記憶部で記憶されているガス圧力との間に変動がある場合にガス遮断弁を遮断するかしないかを保持する遮断中ガス変動時遮断有無保持部と、遮断事象発生部で事象が発生したとき、遮断状態記憶部でガス遮断弁が開栓中の場合及び遮断状態記憶部でガス遮断弁が遮断中であってもガス圧力検出部で検出したガス圧力と前回遮断後ガス圧力記憶部に記憶されているガス圧力との間に変動がありかつ遮断事象発生部で発生した事象について遮断中ガス変動時遮断有無保持部でガス遮断弁を遮断するとなっている場合にガス遮断弁に遮断動作を命令し、遮断状態記憶部でガス遮断弁が遮断中でかつガス圧力検出部で検出したガス圧力と前回遮断後ガス圧力記憶部で記憶されているガス圧力との間に変動がない場合及び変動があっても遮断事象発生部で発生した事象について遮断中ガス変動時遮断有無保持部でガス遮断弁を遮断しないとなっている場合にガス遮断弁の遮断動作を命令しないガス遮断命令部とを有する構成にて、遮断事象発生部や開栓事象発生部が発生した遮断や開栓の事象からガス遮断弁が遮断状態か開栓状態かを遮断状態記憶部で記憶し、遮断事象発生部が発生する遮断の事象に連動してガス圧力検出部でガス遮断装置のガス圧力を検出し、前回遮断後ガス圧力記憶部に遮断時のガス圧力を記憶し、遮断事象発生部から遮断の事象が発生した時にガス遮断命令部が遮断状態記憶部に記憶されている遮断弁の状態を参照し、開栓中の時はガス遮断弁へ遮断命令を出力し、ガスの遮断を行い、遮断中の時は、さらにガス圧力検出部で現在のガス圧力を検出し、前回遮断後ガス圧力記憶部に記憶されているガス圧力とを比較して変動がなければガス遮断弁への遮断命令を省略し、変動があれば、さらに遮断中ガス圧力変動時遮断有無保持部に保持されている遮断中にガス圧力の変動があったときの遮断事象に対して遮断を行なうか行なわないかの情報を参照し、行なわないであれば遮断命令を省略するが、行なうであればガス遮断弁への遮断命令を出力して安全を確保するようにできる。
【０００９】
【発明の実施の形態】
（第１の実施形態）
以下、本発明の第１の実施形態について、図１、図２を参照して説明する。図１において、３はガスの遮断を行なうガス遮断弁である。１は地震を検知したり、ガスが長時間使用されていたり、ガスが大量に使用されていたり、ガスの圧力に異常があったりした時にガス遮断弁３の遮断を要求する事象を発生する遮断事象発生部である。４は開栓を指示するスイッチの押下や通信線を通しての開栓の指示によりガス遮断弁３の開栓を要求する事象を発生する開栓事象発生部である。
【００１０】
５は遮断事象発生部１が発生する遮断の事象や開栓事象発生部４が発生する開栓の事象からガス遮断弁３が遮断中か開栓中かの遮断状態を記憶する遮断状態記憶部である。６はガス遮断弁３が遮断中に発生した遮断の事象に対し、ガスを遮断するか否かの情報を、表１に示すような表形式で保持している遮断中事象遮断有無保持部である。
【００１１】
【表１】
0003977879.tif 000002
【００１２】
表１で挙げた例について説明すると、感震遮断は地震発生を検知したときの遮断事象であり、一度発生すると連続して発生する可能性が高く、その度に遮断動作を行なうと電池を消耗するので、遮断状態記憶部５で遮断中となっておれば遮断しない。継続遮断はガスが一定の長期間連続的に使用されていることを検知したときの遮断事象であり、単発的な遮断事象であるので、その度に遮断しても電池を大きく消耗せず、かつ遮断状態記憶部５で遮断中となっていてもガスが流れていることもあるので、安全を確保するために遮断する。漏洩遮断はガス漏洩を検知したときの単発的な遮断事象であり、安全を確保するために遮断する。通信遮断はガスの遮断を意図した通信による遮断事象であり、一度発生すると連続して発生するので電池を消耗しないように遮断しない。
【００１３】
２は遮断事象発生部１から遮断の事象が発生した時に遮断状態記憶部５と遮断中事象遮断有無保持部６を参照し、ガス遮断弁３を遮断する遮断命令である遮断信号を出力するガス遮断命令部である。即ち、ガス遮断命令部２は、遮断事象発生部１から遮断の事象が発生した時、遮断状態記憶部５からガス遮断弁３が遮断中か開栓中かの遮断状態を取得し、開栓中であればガス遮断弁３に遮断信号を出力し、遮断中であれば遮断中事象遮断有無保持部６を参照し、遮断事象発生部１が発生した遮断の事象によりガスを遮断するか否かの情報を取得し、遮断するであればガス遮断弁３に遮断信号を出力し、遮断しないであれば遮断信号を出力しない。
【００１４】
次に、図２のフロー図を参照してガス遮断命令部の動作について説明する。まず、図２のフロー図は遮断事象発生部１が遮断の事象を発生することにより開始するものとする。ステップ＃１は遮断状態取得処理で、遮断状態記憶部５に記憶されている遮断中又は開栓中の遮断状態の情報を取得し、ステップ＃２へ移行する。ステップ＃２は遮断状態判定処理で、ステップ＃１で取得した遮断状態の状態が遮断中であればステップ＃３へ移行し、開栓中であればステップ＃５へ移行する。
【００１５】
ステップ＃３は遮断中事象遮断有無取得処理で、遮断事象発生部が発生した遮断の事象を識別子として、遮断中事象遮断有無保持部６に保持されている遮断の事象に対する遮断を行なうか行なわないかの情報を取得し、ステップ＃４へ移行する。遮断中事象遮断有無保持部６は、表１のような表形式で、遮断の事象に対する遮断を行なうか行なわないかを示す遮断の有無の情報を保持しており、遮断の事象によって該当する情報を取得する。例えば、遮断事象発生部１が地震発生を検知したことによる「感震遮断」の事象を発生した時には、遮断中事象遮断有無保持部６の「感震遮断」の遮断の事象に対する遮断の有無は「遮断しない」である。
【００１６】
ステップ＃４はステップ＃３の遮断中事象遮断有無判定処理で取得した遮断有無の情報により、「遮断する」であればステップ＃５に移行し、「遮断しない」であれば処理を終了する。ステップ＃５は遮断信号出力処理で、ガス遮断弁３に対しガスを遮断するための遮断信号を出力し、処理を終了する。
【００１７】
（第２の実施形態）
次に、本発明の第２の実施形態について、図３、図４を参照して説明する。なお、第１の実施形態と同一の構成要素については同一の参照符号を付して説明を省略し、相違点のみを説明する。
【００１８】
図３において、７はガスの圧力を検出するガス圧力検出部であり、ガス圧力を検出する。ここではガス圧力検出部の出力する値をガス圧力に対応する整数値とする。８は前回遮断後ガス圧力記憶部で、遮断事象発生部１で遮断の事象が発生した後にガス圧力検出部７で出力するガス圧力の値を記憶する。
【００１９】
９は遮断事象発生部１で遮断の事象が発生した時にガス遮断弁３が遮断中で、前回遮断の事象が発生した時と今回遮断の事象が発生した時のガス圧力に変動があった時に、発生した遮断の事象に対し、ガスを遮断するか否かの情報を上記表１のように表形式で保持している遮断中ガス変動時遮断有無保持部である。
【００２０】
ガス遮断命令部２は、遮断事象発生部１から遮断の事象が発生した時に遮断状態記憶部５とガス圧力検出部７と前回遮断後ガス圧力記憶部８と遮断中ガス圧力変動時遮断有無保持部９を参照して、ガス遮断弁３を遮断する遮断命令である遮断信号を出力するように構成されている。
【００２１】
遮断事象発生部１から遮断の事象が発生した時、遮断状態記憶部５からガス遮断弁３が遮断中か開栓中かの遮断状態を取得し、開栓中であればガス遮断弁３に遮断信号を出力し、遮断中であれば前回遮断後ガス圧力記憶部８に記憶されているガス圧力値とガス圧力検出部７で今回検出されたガス圧力値を比較し、ガス圧力の変動がなければガス遮断弁３に遮断信号を出力しない。ガス圧力の変動があれば遮断中ガス変動時遮断有無保持部９を参照し、遮断事象発生部１が発生した遮断の事象に対するガスを遮断するか否かの情報を取得し、遮断するであればガス遮断弁３に遮断信号を出力し、遮断しないであれば遮断信号を出力しない。
【００２２】
次に、図４のフロー図を用いてガス遮断命令部２の動作について説明する。まず、図４のフロー図は遮断事象発生部１が遮断の事象を発生することにより開始するものとする。ステップ＃１１は遮断状態取得処理で、遮断状態記憶部５に記憶されている遮断中又は開栓中の遮断状態の情報を取得し、ステップ＃１２へ移行する。ステップ＃１２は遮断状態判定処理で、ステップ＃１１で取得した遮断状態の状態が遮断中であればステップ＃１３へ移行し、開栓中であればステップ＃１８へ移行する。
【００２３】
ステップ＃１３は今回ガス圧力取得処理で、ガス圧力検出部７から今回のガス圧力値を取得し、ステップ＃１４へ移行する。ステップ＃１４は前回ガス圧力取得処理で、前回遮断後ガス圧力記憶部８から前回の遮断の事象発生時のガス圧力値を取得し、ステップ＃１５へ移行する。ステップ＃１５はガス圧力変動判定処理で、ステップ＃１３で取得した今回遮断事象発生時のガス圧力値とステップ＃１４で取得した前回遮断事象発生時のガス圧力値を比較し、変動ありとなればステップ＃１６へ移行し、変動なしとなれば処理を終了する。
【００２４】
例えば、ガス圧力値の比較は次のようにして行なわれる。前回のガス圧力値と今回のガス圧力値の差が５％未満であれば変動無しとする。つまり、｛｜（前回のガス圧力値）−（今回のガス圧力値）｜÷（前回のガス圧力値）｝×１００＜５となれば、変動無しとする。前回のガス圧力値が１００で、今回のガス圧力値が９７であれば、ガス圧力値の差が３％で、変動無しとなる。
【００２５】
ステップ＃１６は遮断中ガス圧力変動時遮断有無取得処理で、遮断事象発生部１が発生した遮断の事象を識別子として、遮断中ガス圧力変動遮断有無保持部９に保持されている遮断の事象に対する遮断を行なうか行なわないかの情報を取得し、ステップ＃１７へ移行する。遮断中ガス圧力変動時遮断有無保持部９は、表１のような表形式で遮断の事象に対する遮断を行なうか行なわないかを示す遮断の有無の情報を保持しており、遮断の事象によって該当する情報を取得する。例えば、遮断事象発生部１がガスの遮断を意図した通信による「通信遮断」の事象を発生した時、遮断中ガス圧力変動時遮断有無保持部９の「通信遮断」の遮断の事象に対する遮断の有無は「遮断しない」である。
【００２６】
ステップ＃１７は遮断有無判定処理で、ステップ＃１６の遮断中ガス圧力変動時遮断有無取得処理で取得した遮断有無の情報により、「遮断する」であればステップ＃１８に移行し、「遮断しない」であれば処理を終了する。ステップ＃１８は遮断信号出力処理で、ガス遮断弁３に対しガスを遮断するための遮断信号を出力し、処理を終了する。
【００２７】
なお、上記実施形態では、遮断中遮断有無保持部６及び遮断中ガス圧力変動時遮断有無保持部９において、遮断の事象に対して遮断を行なうか行なわないかを表形式で保持するようにしたが、条件分岐などのプログラムで表現しても同様に実施することができる。
【００２８】
【発明の効果】
本発明のガス遮断装置によれば、以上の説明から明らかなように、ガス遮断弁を遮断する回数を減らすことができるので、同じ容量の電池でガス遮断装置の寿命を長くすることができる。又は、同じ寿命のガス遮断装置であれば、電池に容量の小さい電池を利用することができるという効果が得られる。
【図面の簡単な説明】
【図１】本発明の第１の実施形態のガス遮断装置の構成図である。
【図２】同ガス遮断装置のガス遮断命令部の動作フロー図である。
【図３】本発明の第２の実施形態のガス遮断装置の構成図である。
【図４】同ガス遮断装置のガス遮断命令部の動作フロー図である。
【図５】従来のガス遮断装置の構成図である。
【符号の説明】
１  遮断事象発生部
２  ガス遮断命令部
３  ガス遮断弁
４  開栓事象発生部
５  遮断状態記憶部
６  遮断中事象遮断有無保持部
７  ガス圧力検出部
８  前回遮断後ガス圧力記憶部
９  遮断中ガス圧力変動時遮断有無保持部
【図１】
0003977879.tif 000003
【図２】
0003977879.tif 000004
【図３】
0003977879.tif 000005
【図４】
0003977879.tif 000006
【図５】
0003977879.tif 000007